(57)【特許請求の範囲】
【請求項１】
天面壁と、該天面壁の周囲から下方に延びるスカート壁とを備え、該スカート壁の内周面には容器開口部の外周面に形成された被係止あご部に係止される係止突条が形成され、該スカート壁の開口端における外周面には半径方向外方に突出するタブが周方向の一部の領域にわたって形成されている合成樹脂製キャップにおいて、
該係止突条が該被係止あご部に係止されたとき、該スカート壁の内周面の、該タブが形成されている該一部の領域に対応するタブ存在領域に形成された該係止突条及び／又は該タブ存在領域の周方向の両側における周方向の一部領域であるタブの両側領域に存在する該係止突条、の該被係止あご部に対する半径方向の係止深さは、他の周方向領域に存在する該係止突条の該係止深さよりも少なくなるよう構成され、
該係止突条の各々の該スカート壁の内周面からの突出量は同一に形成され、該タブ存在領域に存在する該係止突条及び／又は該タブの両側領域に存在する該係止突条の、該天面壁側に存在する該スカート壁の内周面には、少なくとも１個の補助突部が形成され、該補助突部の該突出量は、該係止突条の該突出量よりも少なく規定されている、
ことを特徴とする合成樹脂製キャップ。
【請求項２】
本体と、該本体にヒンジ部を介して開閉自在に一体成形された上蓋とからなり、該本体は、頂面壁、該頂面壁の周囲から下方に延びる環状の外側装着壁、該頂面壁に形成された開封予定部、該頂面壁の、該開封予定部の周囲から上方に延びる環状の排出案内壁及び該頂面壁の、該排出案内壁の外側から上方に延びる環状係止壁の外周面の全周にわたって形成された被係止突条、を備え、該上蓋は、天面壁、該天面壁の周囲から下方に延びるスカート壁、該スカート壁の内周面に形成されて該本体の該被係止突条に係止される係止突条及び該係止突条の該天面壁側に連続して形成されかつ該本体の該被係止突条に嵌合する環状係止凹部を備え、該上蓋の該スカート壁の開口端における外周面には半径方向外方に突出するタブが周方向の一部の領域にわたって形成され、該本体の該外側装着壁の内周面には容器開口部の外周面に形成された係止あご部に係止される係止突部が形成されている合成樹脂製ヒンジキャップにおいて、
該係止突条が該被係止突条に係止されたとき、該上蓋の該スカート壁の内周面の、該タブが形成されている該一部の領域に対応するタブ存在領域に存在する該係止突条及び／又は該タブ存在領域の周方向の両側における周方向の一部領域であるタブの両側領域に存在する該係止突条の、該本体の該被係止突条に対する半径方向の係止深さは、他の周方向領域に存在する該係止突条の該係止深さよりも少なくなるよう構成され、
該上蓋の該係止突条の該スカート壁の内周面からの突出量は同一に形成され、該タブ存在領域に存在する該環状係止凹部及び／又は該タブの両側領域に存在する該環状係止凹部には、少なくとも１個の補助突部が形成され、該補助突部の該突出量は該係止突条の該突出量よりも少なく規定されている、
ことを特徴とする合成樹脂製ヒンジキャップ。
【請求項３】
該補助突部は軸線方向に延在するリブからなる、請求項１記載の合成樹脂製キャップ又は請求項２記載の合成樹脂製ヒンジキャップ。
【請求項４】
該補助突部は周方向に延在する補助突条からなる、請求項１記載の合成樹脂製キャップ又は請求項２記載の合成樹脂製ヒンジキャップ。
【発明の詳細な説明】
【０００１】
【発明の属する技術分野】
本発明は、液体等の内容物が収容されたガラス製又は合成樹脂製容器の開口部に打栓して使用される合成樹脂製キャップ（含む合成樹脂製ヒンジキャップ）に関する。
【０００２】
【従来の技術】
液体等の内容物が収容された容器に適用される合成樹脂製キャップの従来例としては、例えば、実公昭４７−１３１０９号公報に開示されたものを挙げることができる。上記公報に開示された合成樹脂製キャップは、天面壁と、天面壁の周囲から下方に延びるスカート壁とを備えている。天面壁の中央には下方に突出する中栓部（凹部）が形成されている。中栓部は天面壁の中央から垂下する環状の側壁と側壁の下端を閉じる底壁とからなり、側壁の上面及び底壁の内周面は天面壁の上面の一部をなしている。以上のように形成された中栓部の側壁の外周面は容器開口部の内周面に嵌合される、環状のシール突条（インナーシール）をなしている。スカート壁の内周面には容器開口部の外周面に形成された環状の被係止あご部に係止される係止突条（肉厚隆条凸条及び肉厚隆条凸片）が形成されている。スカート壁の開口端部における外周面には半径方向外方に突出するつまみ部が周方向の一部にわたって形成されている。スカート壁の、つまみ部の周方向両側端縁には破断可能な薄肉部（肉薄溝）が形成されている。上記キャップは打栓によって、シール突条の外周面が容器開口部の内周面に嵌合されかつ係止突条が容器開口部の外周面に形成された被係止あご部に係止され、容器開口部に装着される。また開栓時にはつまみ部を容器開口部から離れる方向に引っ張ることにより、薄肉部に沿ってスカート壁が破断させられ、キャップは容器開口部から離脱させられる。
【０００３】
【発明が解決しようとする課題】
しかして、上記の如く構成された従来の合成樹脂製キャップを容器に適用した場合には次のような問題が存在する。すなわち、例えば牛乳等の飲料用の液体が容器内に充填された後、容器開口部は上記キャップを打栓することにより閉じられる。このような容器が夏季の外部温度、例えば４０℃に曝された場合には容器の内圧が上昇せしめられ、これにより上記キャップが持ち上げられてシール機能が低下する現象が認められる。シール機能が低下すると、容器開口部から液体がしみ出て開口部を濡らす、あるいは開口部から外部に完全に漏れ出す、等の不具合が発生する。この問題を解消するため、容器開口部の被係止あご部に係止する係止突条の突出量を増大した場合には、シール機能は向上するものの、開栓が著しく困難となる。またそれ自体は周知の合成樹脂製ヒンジキャップにおいては、比較的高温に加熱された調味料等の内容液が容器に充填された後、ヒンジキャップが打栓されたとき該高温に起因する圧力上昇によって、上蓋が容器に装着されているヒンジキャップ本体から開いてしまうおそれがある。また打栓のため容器に対しヒンジキャップを供給するときにも、外力の作用で上蓋がヒンジキャップ本体から開いてしまうおそれがある。このようにして上蓋が不本意に開いてしまうのを防止するため、上蓋とヒンジキャップ本体との間の係止力を強くする必要があるが、このように係止力を強くすると、ヒンジキャップ本体に対するシール機能は向上するものの、上蓋をヒンジキャップ本体から開く操作が著しく困難となる。
【０００４】
特に消費者が力の弱い、子供、女性、あるいは病人である場合には、開栓の困難性は回避しなければならない。したがって、上記従来の合成樹脂製キャップを容器に打栓した場合には、スカート壁内周面の係止突条による容器開口部外周面の被係止あご部に対する係止力を制限することによって開栓の困難性を防止すると共に、該係止力の制限は、決して過剰となることなく、液体の内圧上昇に充分に対抗できる程度にせしめ、上記の如き液体のしみ出しあるいは漏出を確実に防止することが必要となる。他方、上記従来の合成樹脂製ヒンジキャップを容器に打栓した場合においても、上蓋とヒンジキャップ本体との間の係止力を制限することによって、上蓋をヒンジキャップ本体から開く操作が著しく困難となることを防止すると共に、該係止力の制限は、決して過剰となることなく、上記の如き不本意に上蓋が開くことのない程度にせしめしかも所望のシール性を確保する必要がある。
【０００５】
したがって本発明の目的は、内容物が外部に漏出しないよう容器開口部に対して充分確実な密封状態を維持しながらしっかりと装着され、しかも人手による容器開口部からの開栓時には、力の弱い消費者であっても容器開口部から充分容易に離脱せしめることができる、新規な合成樹脂製キャップを提供することである。
【０００６】
本発明の更に他の目的は、容器開口部に対する全体の係止力を充分に保持することによってシール性を充分に確保しながら、人手による容器開口部からの最初の開栓力を、力の弱い消費者であっても充分容易に開栓できる程度に弱くすることができる、新規な合成樹脂製キャップを提供することである。
【０００７】
本発明の他の目的は、構造が簡単で成形が容易であり、したがって低コストで大量生産することができる、新規な合成樹脂製キャップを提供することである。
【０００８】
本発明の更に他の目的は、内容物が外部に漏出しないよう本体に対して充分確実な密封状態を維持しながらしっかりと装着され、しかも人手によって上蓋を本体から開くときには、力の弱い消費者であっても充分容易に開くことができる、新規な合成樹脂製ヒンジキャップを提供することである。
【０００９】
本発明の更に他の目的は、本体に対する全体の係止力を充分に保持することによってシール性を充分に確保しながら、人手によって上蓋を本体から開くときには、最初に開くときの力を、力の弱い消費者であっても充分容易に開くことができる程度に弱くすることができる、新規な合成樹脂製ヒンジキャップを提供することである。
【００１０】
本発明のその他の目的及び特徴は、本発明に従って構成された合成樹脂製キャップ及び合成樹脂製ヒンジキャップの実施形態について添付図面を参照して詳細に説明する後の記載から明らかになるであろう。
【００１１】
【課題を解決するための手段】
本発明の一局面によれば、天面壁と、該天面壁の周囲から下方に延びるスカート壁とを備え、該スカート壁の内周面には容器開口部の外周面に形成された被係止あご部に係止される係止突条が形成され、該スカート壁の開口端における外周面には半径方向外方に突出するタブが周方向の一部の領域にわたって形成されている合成樹脂製キャップにおいて、該係止突条が該被係止あご部に係止されたとき、該スカート壁の内周面の、該タブが形成されている該一部の領域に対応するタブ存在領域に形成された該係止突条及び／又は該タブ存在領域の周方向の両側における周方向の一部領域であるタブの両側領域に存在する該係止突条、の該被係止あご部に対する半径方向の係止深さは、他の周方向領域に存在する該係止突条の該係止深さよりも少なくなるよう構成され、該係止突条の各々の該スカート壁の内周面からの突出量は同一に形成され、該タブ存在領域に存在する該係止突条及び／又は該タブの両側領域に存在する該係止突条の、該天面壁側に存在する該スカート壁の内周面には、少なくとも１個の補助突部が形成され、該補助突部の該突出量は、該係止突条の該突出量よりも少なく規定されている、ことを特徴とする合成樹脂製キャップ、が提供される。
【００１２】
本発明の他の局面によれば、本体と、該本体にヒンジ部を介して開閉自在に一体成形された上蓋とからなり、該本体は、頂面壁、該頂面壁の周囲から下方に延びる環状の外側装着壁、該頂面壁に形成された開封予定部、該頂面壁の、該開封予定部の周囲から上方に延びる環状の排出案内壁及び該頂面壁の、該排出案内壁の外側から上方に延びる環状係止壁の外周面の全周にわたって形成された被係止突条、を備え、該上蓋は、天面壁、該天面壁の周囲から下方に延びるスカート壁、該スカート壁の内周面に形成されて該本体の該被係止突条に係止される係止突条及び該係止突条の該天面壁側に連続して形成されかつ該本体の該被係止突条に嵌合する環状係止凹部を備え、該上蓋の該スカート壁の開口端における外周面には半径方向外方に突出するタブが周方向の一部の領域にわたって形成され、該本体の該外側装着壁の内周面には容器開口部の外周面に形成された係止あご部に係止される係止突部が形成されている合成樹脂製ヒンジキャップにおいて、該係止突条が該被係止突条に係止されたとき、該上蓋の該スカート壁の内周面の、該タブが形成されている該一部の領域に対応するタブ存在領域に存在する該係止突条及び／又は該タブ存在領域の周方向の両側における周方向の一部領域であるタブの両側領域に存在する該係止突条の、該本体の該被係止突条に対する半径方向の係止深さは、他の周方向領域に存在する該係止突条の該係止深さよりも少なくなるよう構成され、該上蓋の該係止突条の該スカート壁の内周面からの突出量は同一に形成され、該タブ存在領域に存在する該環状係止凹部及び／又は該タブの両側領域に存在する該環状係止凹部には、少なくとも１個の補助突部が形成され、該補助突部の該突出量は該係止突条の該突出量よりも少なく規定されている、ことを特徴とする合成樹脂製ヒンジキャップ、が提供される。
【００１３】
【発明の実施の形態】
以下、本発明に従って構成された合成樹脂製キャップ及び合成樹脂製ヒンジキャップの好適実施形態を、図１〜図２２を参照して更に詳細に説明する。なお図１〜図２２において、実質上同一部分は同一符号で示す。
【００１４】
先ず図１〜図６を参照して、全体を番号２で示す合成樹脂製キャップは、実質上円板形状をなす天面壁４と、天面壁４の周囲から下方に延びるスカート壁６とを備えている。天面壁４の内面には下方に延びる環状のシール突条（インナーリング）８が形成されている。シール突条８の外周面は、図７〜図９に示す容器であるびん１００の開口部の内周面１０２に離脱自在に嵌合される。スカート壁６の内周面には、周方向に間隔をおいて複数個（図１〜図６の実施形態では８個）の係止突条１０が形成されている。係止突条１０の各々は、びん１００の開口部の外周面に形成された被係止あご部１０４（図７〜図９参照）に離脱自在に係止される。天面壁４の下面であってシール突条８の半径方向外方位置と、天面壁４の下面とスカート壁６の内周面とが接続される、断面が曲面からなる角部１１とには、それぞれ環状のリブ４ａ及び４ｂが形成されている。スカート壁６の開口端における外周面には半径方向外方に突出するタブ１２が周方向の一部の領域にわたって形成されている。タブ１２の根元とスカート壁６との間には、周方向に間隔をおいて３個のリブ１３が一体に形成されている。図１に示されているように、リブ１３の各々は、スカート壁６の周方向に所定の厚さを有すると共にスカート壁６の軸線方向の断面が三角形をなすよう形成されている。スカート壁６の外周面における、タブ１２が存在しない周方向の領域には、周方向に間隔をおいて軸線方向に延びる複数個のリブ１４が形成されている。
【００１５】
図５に示されているように、スカート壁６は、天面壁４寄りの上部領域Ｓ１に形成された、比較的肉厚の厚い厚肉部１６と、開口端寄りの下部領域Ｓ２に形成された、比較的肉厚の薄い薄肉部１８とから構成されている。そしてスカート壁６の薄肉部１８の、上記係止突条１０より下方位置であって、開口端側における下端部内周面１８ａ（もちろん係止突条１０を除く内周面）の内径は、スカート壁６の厚肉部１６の内周面の内径より大きく形成されている。この構成は、キャップ２の、びん１００の開口部に対する打栓性を良好にせしめるのに寄与する。
【００１６】
図３に明確に示されているように、上記係止突条１０は、上記したように、スカート壁６の内周面に、周方向に間隔をおいて８個形成されているが、実施形態ではスカート壁６の内周面における、タブ１２が存在する周方向のタブ１２存在領域には形成されていない。また係止突条１０のうちの２個は、タブ１２存在領域の周方向の両側における周方向の一部領域であるタブ１２の両側領域に形成されている。そして相互に周方向に実質上分離された係止突条１０の各々の周方向の両端は、図２から明らかなように、軸心から半径方向に見て、少なくとも軸線方向に延びる直線状ではなく、湾曲状をなしている。係止突条１０はまた、図５から明らかなように、軸線方向の断面がスカート壁６の内周面に対し略放物線状の山形をなしている。係止突条１０の各々の、スカート壁６の内周面（上部領域Ｓ１に形成された厚肉部１６の内周面１６ａ）から半径方向内側への突出量は実質上同一に形成されている。したがって、係止突条１０の各々の頂部は、図示しない一つの内接円上に位置付けられる。
【００１７】
係止突条１０が被係止あご部１０４に係止されたとき、スカート壁６の内周面のタブ１２の両側領域に存在する係止突条１０、のびん１００の被係止あご部１０４に対する半径方向の係止深さは、他の周方向領域に存在する係止突条１０の各々の係止深さよりも少なくなるよう構成されていることが重要である。更に具体的に説明すると、スカート壁６の内周面の、上記タブ１２の両側領域に存在する係止突条１０の各々の、天面壁４側に存在するスカート壁６の内周面には、キャップ２の軸線方向に延在するリブ２０（補助突部を構成する）が、少なくとも１個形成されている。リブ２０は、実施形態では３個、周方向に間隔をおいて形成されている。リブ２０の各々の、スカート壁６の内周面（上部領域Ｓ１に形成された厚肉部１６の内周面１６ａ）から半径方向内側への突出量は、各々実質上同一でありかつ係止突条１０の各々の突出量よりも少なく規定されている。実施形態では、リブ２０の各々の突出量は、係止突条１０の各々の突出量の１／２以下に規定されている。
【００１８】
以上のように構成されたキャップ２は、全体として構造が簡単であり、適宜の合成樹脂、例えば低密度ポリエチレン（ＬＤＰＥ）から射出成形ないし圧縮成形により容易に一体成形することができる。したがって低コストで大量生産することができる。そして上記の如く構成されたキャップ２は、図７〜図９に示すように、打栓によって、シール突条８の外周面がびん１００の開口部の内周面１０２に離脱自在に嵌合され、係止突条１０が開口部の外周面に形成された被係止あご部１０４に離脱自在に係止されることにより、びん１００の開口部に装着される。
【００１９】
図７〜図９を参照して、キャップ２がびん１００の開口部に打栓された状態において、スカート壁６の、係止突条１０よりも天面壁４側の内周面、すなわち厚肉部１６の内周面１６ａであって、上記リブ２０が存在しない周方向の領域の、リブ２０の近傍を除く大部分は、びん１００の開口部における被係止あご部１０４と開口端との間の外周面１０６に実質上密着せしめられる（図８参照）。そして上記リブ２０が存在しない６個の係止突条１０は、びん１００の被係止あご部１０４に対し、半径方向の所定の係止深さ（びん１００の上記外周面１０６から係止突条１０の頂部までの半径方向の長さ）Ｄ１をもって係止される。他方、スカート壁６の厚肉部１６の内周面１６ａであって、上記リブ２０が存在するタブ１２の両側領域及びそれらの近傍の領域は、リブ２０の各々の頂部が、びん１００の上記外周面１０６に圧接せしめられる（図９参照）。その結果、リブ２０が存在するタブ１２の両側領域及びそれらの近傍の領域は、リブ２０の各々によって拡大され、上記リブ２０が存在する２個の係止突条１０は、びん１００の被係止あご部１０４に対し、半径方向の所定の係止深さＤ１よりもリブ２０の突出量だけ少ない（浅い）係止深さＤ２をもって係止される（図９参照）。またリブ２０が存在するタブ１２の両側領域及びそれらの近傍の領域は、びん１００の上記外周面１０６に対してリブ２０の頂部が圧接せしめられるので、略線接触に近い状態となり、密着度が少なくなる。
【００２０】
キャップ２のシール突条８の外周面がびん１００の開口部の内周面１０２に嵌合されることにより、ビン１００内の飲料が外部に漏出しないよう開口部の内周面１０２に対して充分確実な密封状態が維持される。上記キャップ２においては更に、天面壁４の下面であってシール突条８の半径方向外方位置と、天面壁４の下面とスカート壁６の内周面とが接続される、断面が曲面からなる角部１１とには、それぞれ環状のリブ４ａ及び４ｂが形成されている。図７〜図９に示すように、キャップ２が上記の如くびん１００の開口部に装着された状態で、リブ４ａは開口部の上端面に密着させられ、リブ４ｂは開口部の、断面が曲面をなす周縁部の表面に密着させられる。この状態でびん１００が冷蔵庫内に収容され、飲料の温度が充填温度５℃よりも低い温度、例えば４℃に低下すると、びん１００内が負圧となり外気を吸引しようとする。しかしながら上記リブ４ａ及び４ｂが上記開口部の表面に一層強く密着してシール機能が向上し、外気の吸引は確実に防止される。
【００２１】
上記説明から明らかなように、上記キャップ２において、係止突条１０がびん１００の被係止あご部１０４に係止されたとき、タブ１２の両側領域に存在する係止突条１０の係止深さＤ２は、他の周方向領域に存在する係止突条１０の各々の係止深さＤ１よりも少なくなるよう構成されているので、タブ１２の両側領域に存在する係止突条１０の被係止あご部１０４に対する係止力は、他の周方向領域に存在する係止突条１０の各々の係止力よりも弱くせしめられる。しかもスカート壁６の内周面の、タブ１２の両側領域におけるびん１００の外周面１０６に対する密着度は、他の周方向領域の密着度よりも少なくせしめられる。したがって、開栓のため、指によってタブ１２に、びん１００の開口部から離れる方向に力を加えたとき（持ち上げると）、最初にタブ１２の両側領域に存在する係止突条１０が、びん１００の被係止あご部１０４を乗り越え易くなる。その結果、開栓が著しく容易となり、子供、女性、あるいは病人等の力の弱い消費者であっても、びん１００の開口部から容易に離脱せしめることができる。タブ１２の両側領域以外の他の周方向領域に存在する係止突条１０の各々の、びん１００の被係止あご部１０４に対する係止力は、タブ１２の両側領域に存在する係止突条１０の係止力よりも強く規定されているので、キャップ２の、びん１００の開口部に対する全体の係止力は充分確実に保持される。したがって、内圧の上昇によるキャップ２の持ち上がりは確実に防止され、シール突条８の、開口部の内周面１０２に対するシール機能は充分に確保される。その結果、びん１００の開口部からの飲料のしみ出しあるいは漏出の発生は充分確実に防止される。このような作用効果は、シール突条８が存在しないキャップ、例えば図１〜図６に示すキャップ２からシール突条８を除去した形態のキャップ、あるいは上記リブ４ａ及び４ｂを除去しかつ天面壁４の下面にそれ自体周知のライナを配設した形態のキャップにおいても、同じ如くに達成されることは充分可能である。例えば、上記他の周方向領域に存在する係止突条１０の各々の係止深さＤ１を若干多くする（深くする）ことによって、全体の係止力をアップする手段を施すことにより、上記作用効果の達成は容易に可能である。しかしながら、シール性と開栓性のバランスを最もとり易いという点ではシール突条８との組合せが最も好ましい。
【００２２】
次に図１０〜図１３を参照して本発明に従って構成された合成樹脂製キャップの他の実施形態について説明する。キャップ２００のスカート壁６には、周方向に間隔をおいて開口端から天面壁４に向かって延びる合計９個の弱化ライン、すなわち、２個の比較的幅広の薄肉部からなる弱化ライン３０（ａ及びｂ）と、７個の比較的幅狭の薄肉部からなる弱化ライン４０（ａ〜ｇ）が、それぞれ周方向に間隔をおいて形成されている。スカート壁６をキャップ２００の軸線方向に見て、タブ１２が周方向の実質上中央に位置付けられるスカート壁６の１８０°のタブ側領域Ｘと、スカート壁６の他の１８０°の反タブ側領域Ｙとに分けたとき、タブ側領域Ｘには、上記比較的幅広の薄肉部からなる弱化ライン３０が２個（３０ａ及び３０ｂ）形成され、かつ上記比較的幅狭の薄肉部からなる弱化ライン４０が２個（４０ａ及び４０ｂ）形成されている。他方反タブ側領域Ｙには、上記比較的幅狭の薄肉部からなる弱化ライン４０だけが５個（４０ｃ〜４０ｇ）形成されている。
【００２３】
タブ側領域Ｘにおいて、比較的幅狭の薄肉部からなる弱化ライン４０ａ及び４０ｂは、タブ１２の周方向の両側に近接してかつ両側から等間隔で配設され、また比較的幅広の薄肉部からなる弱化ライン３０ａ及び３０ｂは、タブ１２の周方向の両側に弱化ライン４０ａ及び４０ｂよりタブ１２の両側から周方向に離れた位置であって、タブ１２の両側から等間隔で配設されている。反タブ側領域Ｙにおいて、比較的幅狭の薄肉部からなる弱化ライン４０ｃ〜４０ｇは、相互に等間隔で配設されている。弱化ライン４０のうちの１個４０ｇは、タブ１２の周方向中心位置に対して直径方向正反対側に配設されている。スカート壁６の外周面における、上記弱化ライン３０及び４０が存在しない部位に、上記リブ１４が形成されている。なお図１１において、符号Ｌ１はタブ側領域Ｘと反タブ側領域Ｙを仕分ける線（キャップ２００の軸心を通る線）、符号Ｌ２はキャップ２００の軸心を通り線Ｌ１に直交する線である。上記説明から明らかなように、弱化ライン４０ｇは線Ｌ２上に位置付けられている。
【００２４】
比較的幅広の薄肉部からなる弱化ライン３０ａ及び３０ｂはそれぞれ実質上同一の構成を有するので、ここでは一方の弱化ライン３０ａについて説明する。比較的幅広の薄肉部からなる弱化ライン３０ａは、図１３に明確に示されているように、スカート壁６における天面壁４寄りの上部領域Ｓ１に形成された、残留肉厚の比較的厚い第一の薄肉部３２と、開口端寄りの下部領域Ｓ２に形成された、上記第一の薄肉部３２より残留肉厚の薄い第二の薄肉部３４とから構成されている。上記弱化ライン３０ａは、スカート壁６の外周面の軸線方向全域にわたって直線状に延在するよう形成された溝３６を含んでいる。溝３６は所定の周方向幅及び深さを有している。
【００２５】
第一の薄肉部３２は溝３６の深さだけスカート壁６の厚さよりも薄く形成される。第一の薄肉部３２及び第二の薄肉部３４の半径方向外方側の面は同一面上（溝３６の底面上）にあり、そして第一の薄肉部３２の内周面（もちろん係止突条１０を除く内周面）はスカート壁６の対応する内周面と同一面上（同一内周面上）にあるので、第二の薄肉部３４の半径方向内方側の面は、第一の薄肉部３２の半径方向内方側の面より半径方向外方に位置付けられる。そして第二の薄肉部３４の、上記係止突条１０より下方位置であって、開口端側における下端部内周面３４ａ（もちろん係止突条１０を除く内周面）は、スカート壁６の対応する下端部内周面と同一面上（同一内周面上）に位置付けられている。したがって、スカート壁６の第二の薄肉部３４が存在する下端部内周面３４ａの内径は、スカート壁６の第一の薄肉部３２が存在する部位の内周面の内径より大きい。
【００２６】
図１２に明確に示されているように、上記弱化ライン３０ａを構成する比較的幅広の薄肉部は周方向幅Ｗ１を有している。スカート壁６における薄肉部の周方向の両端部には、薄肉部の周方向両端から周方向に離れるに従って半径方向の厚さが外径側に向かって徐々に増大する傾斜部分が存在するが、薄肉部の周方向両端はこれらの傾斜部分との二つの境界により規定され、薄肉部の周方向幅Ｗ１はすなわち薄肉部の上記周方向両端間の幅である。弱化ライン３０ａを構成する比較的幅広の薄肉部の周方向幅Ｗ１は、上記実施形態においては溝３６の底部の周方向幅である。図１２において符号Ｗ２は溝３６の、半径方向外側の周方向幅（スカート壁６の外周面と上記傾斜部分の各々との二つの境界間の幅）を示している。なお、図示の如くＷ１とＷ２との寸法関係はＷ１＜Ｗ２である。
【００２７】
比較的幅狭の薄肉部からなる弱化ライン４０ａ〜４０ｇはそれぞれ実質上同一の構成を有するので、ここでは１個の弱化ライン４０ｃについて説明する。比較的幅狭の薄肉部からなる弱化ライン４０ｃが、比較的幅広の薄肉部からなる上記弱化ライン３０ａに対して相違するところは、上記周方向幅Ｗ２及びＷ１が弱化ライン３０ａよりも小さく規定されていることであり、その他の構成は弱化ライン３０ａと実質上同一であるので説明は省略する。
【００２８】
上記係止突条１０は、弱化ライン３０ａ及び３０ｂ、弱化ライン４０ａ〜４０ｇの各々の形成部位において周方向に複数個に実質上分離される。係止突条１０の各々の、スカート壁６の内周面３２ａから半径方向内側への突出量は実質上同一に形成されている。したがって、係止突条１０の各々の頂部は、図示しない一つの内接円上に位置付けられる。そして上記キャップ２と同じ如く、スカート壁６の内周面の、上記タブ１２の両側領域に存在する係止突条１０の各々の、天面壁４側に存在するスカート壁６の内周面には、キャップ２の軸線方向に延在するリブ２０が、周方向に間隔をおいて３個形成されていることが重要である。リブ２０の各々の、スカート壁６の内周面（上部領域Ｓ１に形成された第一の薄肉部３２の内周面３２ａ）から半径方向内側への突出量は、各々実質上同一でありかつ係止突条１０の各々の突出量よりも少なく規定されている。
【００２９】
以上のように構成されたキャップ２００は、全体として構造が簡単であり、適宜の合成樹脂、例えば低密度ポリエチレン（ＬＤＰＥ）から射出成形ないし圧縮成形により容易に一体成形することができる。したがって低コストで大量生産することができる。そして上記の如く構成されたキャップ２００は、キャップ２と同じ如く、打栓によって、シール突条８の外周面がびん１００の開口部の内周面１０２に離脱自在に嵌合され、係止突条１０が開口部の外周面に形成された被係止あご部１０４に離脱自在に係止されることにより、びん１００の開口部に装着される。
【００３０】
上記キャップ２００において、タブ側領域Ｘのスカート壁６に周方向に間隔をおいて形成されている２個の弱化ライン３０ａ及び３０ｂは、開口端から天面壁４に向かって延びる薄肉部からなり、これら薄肉部の各々は周方向幅Ｗ１を有する比較的幅広の薄肉部からなる。このような比較的幅広の薄肉部からなる弱化ライン３０ａ及び３０ｂはスカート壁６の周方向への弾性変形（伸び）が比較的容易に遂行されるので、打栓時にスカート壁６の係止突条１０がびん１００の開口部の被係止あご部１０４を打栓方向に乗り越える際にスカート壁６の径が比較的拡がり易く、したがって弱化ライン３０ａ及び３０ｂが破断されることはないので、破断のない打栓を容易に遂行することが可能となり、打栓時におけるキャップ２００の信頼性（安定性）が充分確保される。またスカート壁６には、タブ側領域Ｘ及び反タブ側領域Ｙにわたって周方向幅Ｗ１を有する比較的幅狭の薄肉部からなる他の弱化ライン４０ａ〜４０ｇが形成されているので、スカート壁６を拡大する力は弱化ライン全体（弱化ライン３０ａ及び３０ｂ、弱化ライン４０ａ〜４０ｇ）の弾性変形によりバランス良く一層容易に吸収されるので、比較的幅広の薄肉部からなる弱化ライン２０ａ及び２０ｂはもちろんのこと、比較的幅狭の薄肉部からなる他の弱化ライン４０ａ〜４０ｇの破断も確実に防止され、打栓時におけるキャップ２００の信頼性（安定性）が充分確保される。
【００３１】
また打栓後においては、上記の如く一時的に弾性変形させられた比較的幅広の薄肉部からなる弱化ライン３０ａ、３０ｂ及び比較的幅狭の薄肉部からなる他の弱化ライン４０ａ〜４０ｇはその弾性力により直ちに元の形状に戻るので、係止突条１０の、びん１００の開口部の外周面に形成された被係止あご部１０４に対する所定の係止力（保持力）が確保されてしっかりと装着され、内圧の上昇によるキャップ２００の持ち上がりは確実に防止され、シール突条８の、開口部の内周面１０２に対するシール機能は充分に確保される。その結果、びん１００の開口部からの飲料のしみ出しあるいは漏出の発生は充分確実に防止される。
【００３２】
更に上記キャップ２００においては、上記キャップ２と同じ如く、係止突条１０の各々がびん１００の被係止あご部１０４に係止されたとき、タブ１２の両側領域に存在する係止突条１０の係止深さＤ２（図９参照）は、他の周方向領域に存在する係止突条１０の各々の係止深さＤ１（図８参照）よりも少なくなるよう構成されている。すなわち係止突条１０の各々のスカート壁６の内周面からの突出量は実質上同一に形成され、タブ１２の両側領域に存在する係止突条１０の、天面壁４側に存在するスカート壁３２の内周面３２ａには、軸線方向に延在しかつ突出量が係止突条１０の各々の突出量よりも少ないリブ２０が３個形成されているので、キャップ２と実質上同一の作用効果が、上記作用効果に加えて達成される。したがって上記キャップ２００においても、シール性を充分に確保しながら、最初の開栓力を更に弱くすることができ、子供、女性、あるいは病人等の力の弱い消費者であっても、びん１００の開口部から容易に離脱せしめることができる。
【００３３】
次に、図１４〜図１７を参照して本発明に従って構成された合成樹脂製ヒンジキャップの実施形態について説明する。先ず図１４及び図１５を参照して、全体を番号３００で示す合成樹脂製ヒンジキャップは、本体３０４と、本体３０４にヒンジ部３０５を介して開閉自在に一体成形された上蓋３０６とからなる。本体３０４と上蓋３０６とは、ポリプロピレン又はポリエチレンの如き適宜の合成樹脂から一体成形することができる。本体３０４は、実質上水平に延在する頂面壁３０８を備えている。頂面壁３０８には、破断可能なスコア３１０が形成されている。スコア３１０は、図１４に示されているように、軸線方向から見て適宜の形状をなすループ状に形成されて、開封予定部３１２を構成している。開封予定部３１２には上方に延在する開封用のプルリング３１４が形成されている。頂面壁３０８には、更に、開封予定部３１２の周囲から上方に延びる環状の排出案内壁３１６、排出案内壁３１６の周囲から上方に延びる環状係止壁３１８、頂面壁３０８の周囲から下方に延びる環状の外側装着壁３２０、頂面壁３０８における、外側装着壁３２０の内側から下方に延びる環状の内側装着壁３２２が形成されている。上記環状係止壁３１８の外周面にはその全周にわたって被係止突条３２４が形成されている。外側装着壁３２０と内側装着壁３２２との間には環状の隙間が形成されている。
【００３４】
上蓋３０６を、図１５の２点鎖線で示す如く本体３０４を閉じた状態を想定して説明すると、上蓋３０６は、実質上水平に延在する天面壁３３０を備えている。天面壁３３０には、その周囲から下方に延びるスカート壁３３２、天面壁３３０の内側から下方に延びる円筒形状のシール壁３３４が形成されている。スカート壁３３２の内周面には、その全周にわたって延在する係止突条３３６と、係止突条３３６の天面壁３３０側に連続する環状係止凹部３３８とが形成されている。上蓋３０６のスカート壁３３２の一部周域の下端外縁部と、本体３０４の頂面壁３０８の周縁の、対応する一部周域の上端外縁部との間には上記ヒンジ部３０５が介在されている。スカート壁３３２の開口端における外周面には、上蓋３０６を開くためのタブ３４０が形成されている。タブ３４０は、ヒンジ部３０５と半径方向に対峙する周方向の一部領域において半径方向外方に突出するよう形成されている。
【００３５】
係止突条３３６が本体３０４の被係止突条３２４に係止されたとき、上蓋３０６のスカート壁３３２の内周面の、タブ３４０が形成されている周方向の一部の領域に対応するタブ３４０存在領域に存在する係止突条３３６及びタブ３４０存在領域の周方向の両側における周方向の一部領域であるタブ３４０の両側領域に存在する係止突条３３６の、本体３０４の被係止突条３２４に対する半径方向の係止深さは、他の周方向領域に存在する係止突条３３６の係止深さよりも少なくなるよう構成されていることが重要である。更に具体的に説明すると、上蓋３０６の係止突条３３６のスカート壁３３２の内周面からの突出量は実質上同一に形成されている。そして、上記タブ３４０存在領域に存在する環状係止凹部３３８及び上記タブ３４０の両側領域に存在する環状係止凹部３３８には、軸線方向に延在しかつ上記突出量が係止突条３３６の突出量よりも少ないリブ３４２（補助突部を構成する）が少なくとも１個、実施形態では２個形成されている。図１４に示すように、上蓋３０６を軸線方向から見て、タブ３４０存在領域に存在する環状係止凹部３３８に形成されたリブ３４２は、タブ３４０存在領域の周方向の中央と上蓋３０６の軸心Ｏを通る直線Ｌ３の両側Ａ及びＢに配設され、タブ３４０の両側領域に存在する環状係止凹部３３８に形成されたリブ３４２は、直線Ｌ３の両側Ａ及びＢの更に両側Ｃ及びＤに配設されている。
【００３６】
上記本体４の外側装着壁３２０の内周面にはその全周にわたって係止突部３３７が形成されている。図１５において２点鎖線で示す示すように、上蓋３０６は、これをヒンジ３０５のまわりに図１５の反時計方向に回動させ、そのスカート壁３３２の係止突条３３６を本体３０４の被係止突条３２４に係止させ、かつ環状係止凹部３３８を被係止突条３２４に嵌合させることにより、本体３０４に装着され、本体３０４の上方が開自在に閉じられる。図１５において２点鎖線で示すように、ポリエチレンテレフタレートの如き適宜の合成樹脂あるいはガラス等から形成されている容器１５０は、容器開口部１５２を備えている。容器開口部１５２の外周面には係止あご部１５４が形成されている。ヒンジキャップ３００は、容器１５０内に液体等の内容物が収容された後に、その容器開口部１５２に打栓することにより装着される。ヒンジキャップ３００の打栓により、内側装着壁３２２の外周面は容器開口部１５２の内周面に圧入され、外側装着壁３２０の係止突部３３７は容器開口部１５２の外周面に形成された係止あご部１５４を乗り越えた位置に位置付けられる。上蓋３０６のシール壁３３４の外周面が本体３０４の排出案内壁３１６の内周面に密着して嵌合せしめられる。使用時には上蓋３０６を開き、プルリング３１４を指で引き上げて開封予定部３１２を開封する。
【００３７】
上記した如く、タブ３４０存在領域に存在する環状係止凹部３３８には２個のリブ３４２が、また上記タブ３４０の両側領域に存在する環状係止凹部３３８にはそれぞれ１個のリブ３４２が形成されているので、上蓋３０６の係止突条３３６が本体３０４の被係止突条３２４に係止させられ、かつ環状係止凹部３３８が被係止突条３２４に嵌合させられたとき、図１４のＡ、Ｂ、Ｃ及びＤの部位における環状係止凹部３３８はリブ３４２によって被係止突条３２４に密着して嵌合することができないので、上記Ａ、Ｂ、Ｃ及びＤの部位における係止突条３３６の係止深さは、他の領域の係止突条３３６の係止深さよりも小さくせしめられる。その他の領域においては環状係止凹部３３８は被係止突条３２４に密着して嵌合せしめられる。その結果、キャップ２と同じ如く、本体３０４に対する全体の係止力は充分に確保され、上蓋３０６のシール壁３３４の外周面と本体３０４の排出案内壁３１６の内周面との間のシール機能は確実に維持される。しかしながら、開栓においては、上記構成に起因して、最初にタブ３４０存在領域及びタブ３４０の両側領域に存在する係止突条３３６が被係止突条３２４を乗り越え易くなり、子供、女性、あるいは病人等の力の弱い消費者であっても、上蓋３０６を本体３０４に対し開くことが著しく容易となる。リブ３４２は、図１４のＡ、Ｂの部位のみ、あるいはＣ、Ｄの部位のみに形成される実施形態もある。タブ３４０存在領域、タブ３４０の両側領域において、リブ３４２は少なくとも１個形成される。
【００３８】
図１８には、本発明に従って構成された合成樹脂製キャップの他の実施形態が示されている。図１８に示されているキャップ４００の基本構成は、図１〜図６に示すキャップ２と実質上同一である。キャップ４００がキャップ２と相違するところは、キャップ４００において、タブ１２の両側領域に存在する係止突条１０の各々の、天面壁４側に存在するスカート壁６の内周面に上記リブ２０が形成されていないこと、及びスカート壁６の内周面の、タブ１２存在領域に１個の係止突条１０が形成され、この係止突条１０の、天面壁４側に存在するスカート壁６の内周面に上記リブ２０が周方向に間隔をおいて３個形成されていることである。係止突条１０の各々の上記突出量は実質上同一に形成されている。したがって、係止突条１０の各々の頂部は、図示しない一つの内接円上に位置付けられる。キャップ４００は上記の如く構成されているので、その係止突条１０がびん１００の被係止あご部１０４に係止されたとき、タブ１２存在領域に存在する係止突条１０の係止深さは、他の周方向領域に存在する係止突条１０の各々の係止深さよりも少なくせしめられるので、タブ１２存在領域に存在する係止突条１０の被係止あご部１０４に対する係止力は、他の周方向領域に存在する係止突条１０の各々の係止力よりも弱くせしめられる。したがって、開栓のため、指によってタブ１２に、びん１００の開口部から離れる方向に力を加えたとき、最初にタブ１２存在領域の係止突条１０が、びん１００の被係止あご部１０４を乗り越え易くなる。その結果、開栓が著しく容易となる。タブ１２の存在領域以外の他の周方向領域に存在する係止突条１０の各々の、びん１００の被係止あご部１０４に対する係止力は、タブ１２の存在領域に存在する係止突条１０の係止力よりも強く規定されているので、キャップ２の、びん１００の開口部に対する全体の係止力は充分確実に保持され、シール性は充分確保される。
【００３９】
図１９には、本発明に従って構成された合成樹脂製キャップの更に他の実施形態が示されている。図１９に示されているキャップ５００の基本構成は、図１〜図６に示すキャップ２と実質上同一である。キャップ５００がキャップ２と相違するところは、キャップ５００において、係止突条１０は、スカート壁６の内周面の、タブ１２存在領域を除く周方向の全領域にわたって形成されていること、及びタブ１２の両側領域に存在する係止突条１０の、天面壁４側に存在するスカート壁６の内周面に上記リブ２０が周方向に間隔をおいて３個形成されていることである。係止突条１０の上記突出量は実質上同一に形成されている。したがって、係止突条１０の頂部は、図示しない一つの内接円上に位置付けられる。キャップ５００は上記の如く構成されているので、その係止突条１０がびん１００の被係止あご部１０４に係止されたとき、タブ１２の両側領域に存在する係止突条１０の係止深さは、その他の周方向領域に存在する係止突条１０の各々の係止深さよりも少なくせしめられるので、タブ１２の両側領域に存在する係止突条１０の被係止あご部１０４に対する係止力は、他の周方向領域に存在する係止突条１０の各々の係止力よりも弱くせしめられる。したがって、開栓のため、指によってタブ１２に、びん１００の開口部から離れる方向に力を加えたとき、最初にタブ１２の両側領域の係止突条１０が、びん１００の被係止あご部１０４を乗り越え易くなる。その結果、開栓が著しく容易となる。しかもタブ１２存在領域に係止突条１０は形成されていないので、最初の開栓力は一層低下せしめられ、開栓が一層容易となる。タブ１２の両側領域以外の他の周方向領域に存在する係止突条１０の各々の、びん１００の被係止あご部１０４に対する係止力は、タブ１２の存在領域に存在する係止突条１０の係止力よりも強く規定されているので、キャップ２の、びん１００の開口部に対する全体の係止力は充分確実に保持され、シール性は充分確保される。
【００４０】
図２０には、本発明に従って構成された合成樹脂製キャップの更に他の実施形態が示されている。図２０に示されているキャップ６００の基本構成は、図１〜図６に示すキャップ２と実質上同一である。キャップ６００がキャップ２と相違するところは、キャップ６００において、タブ１２存在領域及びタブ１２の両側領域に、他の周方向領域の係止突条１０の各々の突出量よりも少なく規定された突出量を有する係止突条１１が形成されていることである。係止突条１０の各々の上記突出量は実質上同一に形成されている。図２０において、２点鎖線で示す円は突出量の多い上記他の該係止突条１０の各々の頂部を通る内接円を示しており、タブ１２存在領域に存在する係止突条１１及びタブ１２の両側領域に存在する係止突条１１の頂部はこの内接円よりも半径方向外方に位置付けられていることが理解されるであろう。キャップ６００は上記の如く構成されているので、その係止突条１０がびん１００の被係止あご部１０４に係止されたとき、タブ１２存在領域の係止突条１１及びタブ１２の両側領域の係止突条１１の係止深さは、その他の周方向領域に存在する係止突条１０の各々の係止深さよりも少なくせしめられるので、タブ１２存在領域の係止突条１１及びタブ１２の両側領域の係止突条１１の被係止あご部１０４に対する係止力は、他の周方向領域に存在する係止突条１０の各々の係止力よりも弱くせしめられる。したがって、開栓のため、指によってタブ１２に、びん１００の開口部から離れる方向に力を加えたとき、最初にタブ１２存在領域の係止突条１１及びタブ１２の両側領域の係止突条１１が、びん１００の被係止あご部１０４を乗り越え易くなる。その結果、開栓が著しく容易となる。タブ１２存在領域及びタブ１２の両側領域以外の他の周方向領域に存在する係止突条１０の各々の、びん１００の被係止あご部１０４に対する係止力は、タブ１２存在領域及びタブ１２の両側領域の係止突条１１の係止力よりも強く規定されているので、キャップ６００の、びん１００の開口部に対する全体の係止力は充分確実に保持され、シール性は充分確保される。係止突条１１は、タブ１２存在領域のみ（少なくとも１個）、あるいはタブ１２の両側領域のみに形成される実施形態もある。
【００４１】
図２１及び図２２には、本発明に従って構成された合成樹脂製キャップの更に他の実施形態が示されている。図２１に示されているキャップ７００の基本構成は、図１〜図６に示すキャップ２と実質上同一である。キャップ７００がキャップ２と相違するところは、キャップ７００において、タブ１２の両側領域に存在する係止突条１０の、天面壁４側に存在するスカート壁６の内周面には、補助突条７０２（補助突部を構成する）が形成されていることである。係止突条１０の各々の上記突出量は実質上同一に形成されている。補助突条７０２の形状自体は係止突条１０と実質上同一であるが、補助突条７０２の上記突出量は、係止突条１０の各々の突出量よりも少なく規定されている。キャップ７００は上記の如く構成されているので、その係止突条１０がびん１００の被係止あご部１０４に係止されたとき、スカート壁６の厚肉部１６の内周面１６ａであって、上記補助突条７０２が存在するタブ１２の両側領域及びそれらの近傍の領域は、補助突条７０２の頂部が、びん１００の上記外周面１０６に圧接せしめられる。その結果、補助突条７０２が存在するタブ１２の両側領域は、補助突条７０２によって拡大され、補助突条７０２が存在する２個の係止突条１０は、びん１００の被係止あご部１０４に対し、半径方向の所定の係止深さよりも補助突条７０２の突出量だけ少ない（浅い）係止深さをもって係止される。これによりタブ１２の両側領域の係止突条１０の被係止あご部１０４に対する係止力は、他の周方向領域に存在する係止突条１０の各々の係止力よりも弱くせしめられる。したがって、開栓のため、指によってタブ１２に、びん１００の開口部から離れる方向に力を加えたとき、最初にタブ１２の両側領域の係止突条１０が、びん１００の被係止あご部１０４を乗り越え易くなる。その結果、開栓が著しく容易となる。タブ１２の両側領域以外の他の周方向領域に存在する係止突条１０の各々の、びん１００の被係止あご部１０４に対する係止力は、タブ１２の両側領域の係止突条１０の係止力よりも強く規定されているので、キャップ７００の、びん１００の開口部に対する全体の係止力は充分確実に保持され、シール性は充分確保される。
【００４２】
以上、添付図面を参照して、本発明に従って構成された合成樹脂製キャップの好適実施形態について説明したが、本発明は上記実施形態に限定されるものではなく、本発明の範囲を逸脱することなく種々の変形ないし修正が可能である。例えば、本発明は打栓式の合成樹脂製キャップ（含む合成樹脂製ヒンジキャップ）であればいずれの形態のキャップにも適用することができる。また上記実施形態において、補助突部としては、リブ２０、係止突条１１及び補助突条７０２が示されているが、その他の実施形態として、図示はされていないが、軸線方向及び周方向に延在しかつスカート壁６の内周面１６ａ、３２ａよりも小径の内周面を有する小径部からなる補助突部もある。更に具体的に説明すると、この補助突部は、図５及び図６において、３個のリブ２０の各々の頂部を通る図示しない内接円までスカート壁６の内周面１６ａが突出せしめられた如き形状をなすものである。図示しないで説明した上記小径部、係止突条１１及び補助突条７０２は、もちろん、キャップ２、キャップ２００及びヒンジキャップ３００にも適用しうることはいうまでもない。なおヒンジキャップ３００に適用される小径部は、軸線方向及び周方向に延在しかつ環状係止凹部３３８の底部よりも小径の内周面を有するよう構成される。更にはまた、本発明は様々な組合せが可能である。例えば図１〜図６に示すキャップ２及び図１１〜図１３に示すキャップ２００において、タブ１２存在領域にも係止突条１０を形成し、この係止突条１０の、天面壁４側のスカート壁６の内周面に上記リブ２０を３個形成する実施形態もある（図３に示す構成と図１８に示す構成とを組合せた如き実施形態）。したがって、キャップ２、キャップ２００は、係止突条１０がびん１００の被係止あご部１０４に係止されたとき、スカート壁６の内周面の、タブ１２存在領域に形成された係止突条１０及び／又はタブ１２の両側領域に存在する係止突条１０、の被係止あご部１０４に対する半径方向の係止深さは、他の周方向領域に存在する係止突条１０の係止深さよりも少なくなるよう構成される。またタブ１２存在領域及び／又はタブ１２の両側領域の係止突条１０の係止深さを小さくする手段ないし被係止あご部１０４に対する係止力を弱くする手段は、上記リブ２０の他、図２１に示す補助係止突条７０２であってもよいし、リブ２０や補助係止突条７０２を配設することなく、それ自体の突出量が少ない係止突条１１を形成する手段であってもよく、また上記の如く図示しないで説明した小径部であってもよく、更には、それらの組合せであってもよい。
【００４３】
一つの係止突条１０に関連して形成されるリブ２０は少なくとも１個でよい。タブ１２存在領域に係止突条１０が形成される場合、この係止突条１０は少なくとも１個でよい（通常は１個か２個）。更にはまた、係止突条１０をスカート壁６の内周面の全周にわたって形成し、タブ１２存在領域に存在する係止突条１０及び／又はタブ１２の両側領域に存在する係止突条１０、の被係止あご部１０４に対する半径方向の係止深さを、他の周方向領域に存在する係止突条１０の係止深さよりも少なくなるよう構成する実施形態もある。その場合、タブ１２存在領域及び／又はタブ１２の両側領域の係止突条１０の係止深さを小さくする手段ないし被係止あご部１０４に対する係止力を弱くする手段として、タブ１２存在領域及び／又はタブ１２の両側領域の係止突条１０それ自体の突出量を小さくする実施形態も考えられる。この実施形態は、他の形態の係止突条１０に対しても適用可能であるし、またヒンジキャップ３００の係止突条３３６に対しても適用可能である。係止突条１０それ自体の突出量を小さくする周方向の範囲は適宜に設定することができる。なお、タブ１２存在領域及び／又はタブ１２の両側領域の係止突条１０の係止深さを小さくする手段は、その係止突条１０の少なくとも周方向の一部に施されていればよい。例えば、図１８において、タブ１２存在領域の係止突条１０に関連して配設された３個のリブ２０に代えて、係止突条１０の周方向の中央に１個のリブ２０を形成した場合には、係止突条１０の周方向の中央部における上記係止深さは他の係止突条１０のそれより小さくせしめられるが、係止突条１０の周方向の両端部における上記係止深さは他の係止突条１０のそれと同一になる場合もありうる（特にタブ１２存在領域の係止突条１０の周方向長さが比較的長い場合）。
【００４４】
【発明の効果】
本発明に係る合成樹脂製キャップによれば、内容物が外部に漏出しないよう容器開口部に対して充分確実な密封状態を維持しながらしっかりと装着され、しかも人手による容器開口部からの開栓時には、力の弱い消費者であっても容器開口部から充分容易に離脱せしめることができる。また、容器開口部に対する全体の係止力を充分に保持することによってシール性を充分に確保しながら、人手による容器開口部からの最初の開栓力を、力の弱い消費者であっても充分容易に開栓できる程度に弱くすることができる。更にはまた、構造が簡単で成形が容易であり、したがって低コストで大量生産することができる。
本発明に係る合成樹脂製ヒンジキャップによれば、内容物が外部に漏出しないよう本体に対して充分確実な密封状態を維持しながらしっかりと装着され、しかも人手によって上蓋を本体から開くときには、力の弱い消費者であっても充分容易に開くことができる。また、本体に対する全体の係止力を充分に保持することによってシール性を充分に確保しながら、人手によって上蓋を本体から開くときには、最初に開くときの力を、力の弱い消費者であっても充分容易に開くことができる程度に弱くすることができる。
【図面の簡単な説明】
【図１】本発明に従って構成された合成樹脂製キャップの実施形態を示す斜視図。
【図２】図１に示すキャップの正面図であって軸線から半径方向の一方側を破断して示す正面図。
【図３】図１に示すキャップを開口端側から見た下面図。
【図４】図３のＡ部拡大図。
【図５】図４のＢ−Ｂ矢視断面図。
【図６】図５のＣ−Ｃ矢視断面図。
【図７】図１に示すキャップをびんに装着した状態を一部を破断して示す正面図。
【図８】図７の破断部分を拡大して示す断面図。
【図９】図７の他の破断部分（キャップは図５に示す破断部分）を拡大して示す断面図。
【図１０】本発明に従って構成された合成樹脂製キャップの他の実施形態を示す斜視図。
【図１１】図１０に示すキャップを開口端側から見た下面図。
【図１２】図１１のＤ部拡大図。
【図１３】図１２のＥ−Ｅ矢視断面図。
【図１４】本発明に従って構成された合成樹脂製ヒンジキャップの実施形態を、その上蓋を開いた状態で示す平面図。
【図１５】図１４のＦ−Ｆ矢視断面図。
【図１６】図１５のＧ部拡大図。
【図１７】図１６のＨ−Ｈ矢視断面図。
【図１８】本発明に従って構成された合成樹脂製キャップの他の実施形態を開口端側から見た下面図。
【図１９】本発明に従って構成された合成樹脂製キャップの更に他の実施形態を開口端側から見た下面図。
【図２０】本発明に従って構成された合成樹脂製キャップの更に他の実施形態を開口端側から見た下面図。
【図２１】本発明に従って構成された合成樹脂製キャップの更に他の実施形態を開口端側から見た下面図。
【図２２】図２１のＩ−Ｉ矢視断面図。
【符号の説明】
２、２００、４００、５００、６００、７００  合成樹脂製キャップ
４  天面壁
６  スカート壁
８  シール突条
１０、１１  係止突条
１２  タブ
１００  びん
１０２  開口部
１０４  被係止あご部
１０６  びんの開口部の外周面
３００  合成樹脂ヒンジキャップ
３０４  本体
３０６  上蓋
３２４  被係止突条
３３６  係止突条
３３８  環状係止凹部
３４２  リブ
７０２  補助突条
【図１】
0004236306.tif 000002
【図２】
0004236306.tif 000003
【図３】
0004236306.tif 000004
【図４】
0004236306.tif 000005
【図５】
0004236306.tif 000006
【図６】
0004236306.tif 000007
【図７】
0004236306.tif 000008
【図８】
0004236306.tif 000009
【図９】
0004236306.tif 000010
【図１０】
0004236306.tif 000011
【図１１】
0004236306.tif 000012
【図１２】
0004236306.tif 000013
【図１３】
0004236306.tif 000014
【図１４】
0004236306.tif 000015
【図１５】
0004236306.tif 000016
【図１６】
0004236306.tif 000017
【図１７】
0004236306.tif 000018
【図１８】
0004236306.tif 000019
【図１９】
0004236306.tif 000020
【図２０】
0004236306.tif 000021
【図２１】
0004236306.tif 000022
【図２２】
0004236306.tif 000023